(57)【要約】【課題】複数のＰＬＬを設けたり、ＰＬＬ内のＬＰＦのＣＲ時定数や分周器の分周比を切替えずに、様々なサンプリング周波数のワードクロックに同期したクロック信号を生成する。【解決手段】位相比較器５，ＬＰＦ６，複数種類のサンプリング周波数の公倍数の発振周波数の電圧制御発振器７，電圧制御発振器７の出力をこの複数種類のサンプリング周波数のうちの最小周波数に低減する分周器８から成り、分周器８の出力が位相比較器５にフィードバックされるＰＬＬ４と、入力されたワードクロックの立上りの回数に基づいてこのワードクロックのサンプリング周波数を検出する検出手段２と、検出手段２が検出したサンプリング周波数がこの最小周波数以外の周波数である場合に、このワードクロックをこの最小周波数に間引く間引き手段３とを備え、間引き手段３が間引いたワードクロックが、ＰＬＬ４内の位相比較器５に送られる。【選択図】図１
2007116362.tif 000002
【特許請求の範囲】
【請求項１】
位相比較器と、ローパスフィルタと、所定の複数種類のサンプリング周波数の公倍数に該当する発振周波数の電圧制御発振器と、前記電圧制御発振器の出力を、前記複数種類のサンプリング周波数のうちの最小周波数に低減する分周器とで構成され、前記分周器の出力が前記位相比較器に比較信号としてフィードバックされるＰＬＬと、
外部から入力されたワードクロックの立ち上がりの回数に基づいて、前記ワードクロックのサンプリング周波数を検出する検出手段と、
前記検出手段によって検出されたサンプリング周波数が前記最小周波数以外の周波数である場合に、前記ワードクロックのサンプリング周波数を前記最小周波数に間引く間引き手段と
を備え、
前記間引き手段によって間引かれたワードクロックが、前記ＰＬＬ内の前記位相比較器に送られて前記比較信号と比較される
ことを特徴とするワードクロック自動同期周波数検出装置。
【請求項２】
請求項１に記載のワードクロック自動同期周波数検出装置において、
前記複数種類のサンプリング周波数は、前記最小周波数と、前記最小周波数の整数倍の周波数であり、
前記検出手段は、前記最小周波数の１周期内における前記立ち上がりの回数から、前記ワードクロックのサンプリング周波数を検出する
ことを特徴とするワードクロック自動同期周波数検出装置。
【請求項３】
請求項２に記載のワードクロック自動同期周波数検出装置において、
前記複数種類のサンプリング周波数は、４８ｋＨｚ，９６ｋＨｚ及び１９２ｋＨｚであることを特徴とするワードクロック自動同期周波数検出装置。
【請求項４】
外部から入力されたワードクロックに基づいて動作するオーディオスイッチャにおいて、
位相比較器と、ローパスフィルタと、所定の複数種類のサンプリング周波数の公倍数に該当する発振周波数の電圧制御発振器と、前記電圧制御発振器の出力を、前記複数種類のサンプリング周波数のうちの最小周波数に低減する分周器とで構成され、前記分周器の出力が前記位相比較器に比較信号としてフィードバックされるＰＬＬと、
外部から入力されたワードクロックの立ち上がりの回数に基づいて、前記ワードクロックのサンプリング周波数を検出する検出手段と、
前記検出手段によって検出されたサンプリング周波数が前記最小周波数以外の周波数である場合に、前記ワードクロックのサンプリング周波数を前記最小周波数に間引く間引き手段と
を備え、
前記間引き手段によって間引かれたワードクロックが、前記ＰＬＬ内の前記位相比較器に送られて前記比較信号と比較され、
前記分周器から出力されたクロック信号に基づいて動作する
ことを特徴とするオーディオスイッチャ。
【請求項５】
請求項４に記載のオーディオスイッチャにおいて、
前記複数種類のサンプリング周波数は、前記最小周波数と、前記最小周波数の整数倍の周波数であり、
前記検出手段は、前記最小周波数の１周期内における前記立ち上がりの回数から、前記ワードクロックのサンプリング周波数を検出する
ことを特徴とするオーディオスイッチャ。
【請求項６】
請求項５に記載のオーディオスイッチャにおいて、
前記複数種類のサンプリング周波数は、４８ｋＨｚ，９６ｋＨｚ及び１９２ｋＨｚであることを特徴とするオーディオスイッチャ。
【請求項７】
請求項４に記載のオーディオスイッチャにおいて、
複数のワードクロック入力端子を有し、
前記ＰＬＬ，前記検出手段及び前記間引き手段が、前記ワードクロック入力端子と対応させて複数組設けられており、
各々の前記入力端子に入力されたワードクロックが、対応する組の前記検出手段に供給される
ることを特徴とするオーディオスイッチャ。
【発明の詳細な説明】
【技術分野】
【０００１】
本発明は、様々なサンプリング周波数のワードクロックにそれぞれ同期したクロック信号を生成する装置に関する。また本発明は、外部から入力される様々なサンプリング周波数のワードクロックに基づいて動作するオーディオスイッチャに関する。
【背景技術】
【０００２】
デジタルオーディオ機器は、一般に、ワードクロック（デジタルオーディオ信号と同じサンプリング周波数のクロック）に同期したクロック信号を生成するためのＰＬＬ（フェーズロックドループ）を搭載しており、このＰＬＬの出力に基づいて、機器内の回路を動作させる。
【０００３】
ワードクロックは、入力されるデジタルオーディオ信号自体から抽出されることも少なくない（例えば、特許文献１，２参照）。しかし、放送業務分野において多数のデジタルオーディオ機器を互いに接続するような場合には、それらの機器の間で正確にデジタルオーディオ信号を授受できるようにするために、外部から共通のワードクロックをそれらの機器に入力させることが望ましい。
【０００４】
例えば、テレビジョン放送局のスタジオで番組の収録や放送を行う際には、複数台のマイクロホンからのデジタルオーディオ信号や、ＶＴＲ等から再生したデジタルオーディオ信号を、オーディオスイッチャと呼ばれる信号切替装置に全て入力させ、どのオーディオ信号をどの機器に送るかをこのオーディオスイッチャによって切り替えている。その場合には、それらの放送用カメラ，ＶＴＲ，オーディオスイッチャ等に、外部から共通のワードクロックを入力させることが望ましい。
【０００５】
ここで、放送業務分野では、旧来は、デジタルオーディオ信号のサンプリング周波数として４８ｋＨｚが採用されることが多かった。したがって、旧来は、デジタルオーディオ機器には、サンプリング周波数４８ｋＨｚのワードクロックだけを入力させ、そのワードクロックに同期したクロック信号だけをＰＬＬで生成させればよかった。
【０００６】
しかし、今日では、高音質化を目的として、９６ｋＨｚや１９２ｋＨｚというサンプリング周波数も採用されるに至っている。
【０００７】
そのため、デジタルオーディオ機器には、４８ｋＨｚ，９６ｋＨｚ，１９２ｋＨｚという様々なサンプリング周波数のデジタルオーディオ信号に対応して、４８ｋＨｚ，９６ｋＨｚ，１９２ｋＨｚという様々なサンプリング周波数のワードクロックを入力し、それらのサンプリング周波数のワードクロックにそれぞれ同期したクロック信号を生成する機能が求められるようになっている。
【０００８】
【特許文献１】特開平５−１５３１０１号公報（段落００２３〜２４、図１）
【特許文献２】特開２００５−１０７５１１号公報（段落０００２，００１７、図１，図３）
【発明の開示】
【発明が解決しようとする課題】
【０００９】
このように様々なサンプリング周波数のワードクロックにそれぞれ同期したクロック信号を生成する方法としては、各サンプリング周波数毎にＬＰＦ（ローパスフィルタ）のＣＲ時定数や分周器の分周比の異なる複数個のＰＬＬを設ける方法や、あるいは、１個のＰＬＬを設け、そのＰＬＬのＬＰＦのＣＲ時定数や分周器の分周比を、入力されるワードクロックのサンプリング周波数に応じて切り替える方法が考えられる。
【００１０】
しかし、複数個のＰＬＬを設けることは回路規模の増大をもたらし、また、ＰＬＬのＬＰＦのＣＲ時定数や分周器の分周比を切り替えることは処理の複雑化をもたらしてしまう。
【００１１】
本発明は、上述の点に鑑み、複数個のＰＬＬを設けたり、ＰＬＬ内のＬＰＦのＣＲ時定数や分周器の分周比を切り替えたりすることなく、様々なサンプリング周波数のワードクロックにそれぞれ同期したクロック信号を生成できるようにすることを課題とする。
【課題を解決するための手段】
【００１２】
上記課題を解決するため、本発明に係るワードクロック自動同期周波数検出装置は、位相比較器と、ローパスフィルタと、所定の複数種類のサンプリング周波数の公倍数に該当する発振周波数の電圧制御発振器と、この電圧制御発振器の出力を、この複数種類のサンプリング周波数のうちの最小周波数に低減する分周器とで構成され、この分周器の出力がこの位相比較器に比較信号としてフィードバックされるＰＬＬと、外部から入力されたワードクロックの立ち上がりの回数に基づいて、このワードクロックのサンプリング周波数を検出する検出手段と、この検出手段によって検出されたサンプリング周波数がこの最小周波数以外の周波数である場合に、このワードクロックのサンプリング周波数をこの最小周波数に間引く間引き手段とを備え、この間引き手段によって間引かれたワードクロックが、このＰＬＬ内のこの位相比較器に送られてこの比較信号と比較されることを特徴とする。
【００１３】
このワードクロック自動同期周波数検出装置には、１つのＰＬＬが設けられる。このＰＬＬは、電圧制御発振器の発振周波数が、所定の複数種類のサンプリング周波数の公倍数に設定されているとともに、この電圧制御発振器の出力をこの複数種類のサンプリング周波数のうちの最小周波数に低減する分周器を有している。
【００１４】
また、このワードクロック自動同期周波数検出装置では、外部から入力されたワードクロックの立ち上がりの回数に基づき、そのワードクロックのサンプリング周波数が検出される。そして、その検出されたサンプリング周波数が前述の最小周波数以外の周波数である場合には、入力されたワードクロックのサンプリング周波数がこの最小周波数に間引かれ、その間引かれたワードクロックがＰＬＬ内の位相比較器に送られて前述の比較信号と比較される。
【００１５】
このように、様々なサンプリング周波数（所定の複数種類のサンプリング周波数）のうちのいずれの周波数のワードクロックが入力される場合にも、ＰＬＬの位相比較器での位相比較が単一の周波数（所定の複数種類のサンプリング周波数のうちの最小周波数）で行われて、入力したワードクロックに同期したクロック信号が生成（分周器から出力）される。
【００１６】
これにより、複数個のＰＬＬを設けたり、ＰＬＬ内のＬＰＦのＣＲ時定数や分周器の分周比を切り替えたりすることなく、様々なサンプリング周波数のワードクロックにそれぞれ同期したクロック信号を生成することができる。
【００１７】
次に、本発明に係るオーディオスイッチャは、外部から入力されたワードクロックに基づいて動作するオーディオスイッチャにおいて、位相比較器と、ローパスフィルタと、所定の複数種類のサンプリング周波数の公倍数に該当する発振周波数の電圧制御発振器と、この電圧制御発振器の出力を、この複数種類のサンプリング周波数のうちの最小周波数に低減する分周器とで構成され、この分周器の出力がこの位相比較器に比較信号としてフィードバックされるＰＬＬと、外部から入力されたワードクロックの立ち上がりの回数に基づいて、このワードクロックのサンプリング周波数を検出する検出手段と、この検出手段によって検出されたサンプリング周波数がこの最小周波数以外の周波数である場合に、このワードクロックのサンプリング周波数をこの最小周波数に間引く間引き手段とを備え、この間引き手段によって間引かれたワードクロックが、このＰＬＬ内のこの位相比較器に送られてこの比較信号と比較され、この分周器の出力に基づいて動作することを特徴とする。
【００１８】
このオーディオスイッチャは、前述の本発明に係るワードクロック自動同期周波数検出装置を搭載し、このワードクロック自動同期周波数検出装置が外部入力ワードクロックから生成したクロック信号に基づいて動作するようにしたものである。
【００１９】
このオーディオスイッチャによれば、様々なサンプリング周波数のデジタルオーディオ信号が入力される場合にも、複数個のＰＬＬを設けたり、ＰＬＬ内のＬＰＦのＣＲ時定数や分周器の分周比を切り替えたりすることなく、それらのサンプリング周波数のワードクロックにそれぞれ同期したクロック信号に基づいてオーディオスイッチャ内の回路を動作させることができる。
【発明の効果】
【００２０】
本発明に係るワードクロック自動同期周波数検出装置によれば、複数個のＰＬＬを設けたり、ＰＬＬ内のＬＰＦのＣＲ時定数や分周器の分周比を切り替えたりすることなく、様々なサンプリング周波数のワードクロックにそれぞれ同期したクロック信号を生成することができる。
【００２１】
したがって、複数系統のデジタルオーディオ信号が入力されるオーディオ機器にこのワードクロック自動同期周波数検出装置を搭載すれば、様々なサンプリング周波数のデジタルオーディオ信号がそのオーディオ機器に入力される場合にも、複数個のＰＬＬを設けたり、ＰＬＬ内のＬＰＦのＣＲ時定数や分周器の分周比を切り替えたりすることなく、それらのサンプリング周波数のワードクロックにそれぞれ同期したクロック信号に基づいてそのオーディオ機器内の回路を動作させることができる。
【００２２】
次に、本発明に係るオーディオスイッチャによれば、様々なサンプリング周波数のデジタルオーディオ信号が入力される場合にも、複数個のＰＬＬを設けたり、ＰＬＬ内のＬＰＦのＣＲ時定数や分周器の分周比を切り替えたりすることなく、それらのサンプリング周波数のワードクロックにそれぞれ同期したクロック信号に基づいてオーディオスイッチャ内の回路を動作させることができる。
【発明を実施するための最良の形態】
【００２３】
以下、本発明を図面を用いて具体的に説明する。図１は、本発明に係るワードクロック自動同期周波数検出装置の構成例を示す図である。このワードクロック自動同期周波数検出装置１は、周波数検出回路２と、間引き回路３と、ＰＬＬ４とで構成されている。
【００２４】
ＰＬＬ４は、位相比較器５と、ＬＰＦ６と、ＶＣＸＯ（電圧制御型水晶発振器）７と、分周器８とで構成されており、分周器８の出力が位相比較器５に比較信号としてフィードバックされる。
【００２５】
ＶＣＸＯ７の発振周波数は、４８ｋＨｚ，９６ｋＨｚ，１９２ｋＨｚという３種類のサンプリング周波数に対する公倍数である２４．５７６ＭＨｚに設定されている。
【００２６】
分周器８の分周比は、１／５１２に設定されている。この分周比の値は、ＶＣＸＯ７から出力されるクロックのサンプリング周波数を、上記３種類のサンプリング周波数４８ｋＨｚ，９６ｋＨｚ，１９２ｋＨｚのうちの最小周波数４８ｋＨｚに低減する値である。
【００２７】
周波数検出回路２には、ワードクロック入力端子９に入力されたワードクロックが供給される。また、周波数検出回路２には、ＰＬＬ４内のＶＣＸＯ７の出力が供給される。
【００２８】
周波数検出回路２は、ＶＣＸＯ７の出力を動作クロックとして、供給されたワードクロックの立ち上がりを示す立ち上がりパルスを生成し、周波数４８ｋＨｚ（３種類のサンプリング周波数４８ｋＨｚ，９６ｋＨｚ，１９２ｋＨｚのうちの最小周波数）の１周期内におけるこの立ち上がりパルスの立ち上がりの回数から、ワードクロック入力端子９に入力されたワードクロックのサンプリング周波数を検出する回路である。
【００２９】
図２Ｂ，Ｃ，Ｄは、ワードクロック入力端子９にそれぞれサンプリング周波数４８ｋＨｚ，９６ｋＨｚ，１９２ｋＨｚのワードクロックが入力された場合に、周波数検出回路２で生成される立ち上がりパルスを示す図である。
【００３０】
周波数検出回路２は、周波数４８ｋＨｚの基準パルスの１周期（図２Ａ）におけるこの立ち上がりパルスの立ち上がりの回数を測定する。図２Ｂの立ち上がりパルスについては、この測定結果は１回（↑で指した箇所）となる。他方、図２Ｃの立ち上がりパルスについては、この測定結果は２回（↑で指した箇所）となる。他方、図２Ｄの立ち上がりパルスについては、この測定結果は４回（↑で指した箇所）となる。
【００３１】
そして、周波数検出回路２は、この測定結果が１回である場合には、供給されたワードクロックのサンプリング周波数が４８ｋＨｚであると判別する。他方、この測定結果が２回である場合には、供給されたワードクロックのサンプリング周波数が９６ｋＨｚであると判別する。他方、この測定結果が４回である場合には、供給されたワードクロックのサンプリング周波数が１９２ｋＨｚであると判別する。
【００３２】
周波数検出回路２からは、このようにして検出したワードクロックのサンプリング周波数を示す入力周波数検出信号が、間引き回路３に送られる。間引き回路３にも、ワードクロック入力端子９に入力されたワードクロックと、ＰＬＬ４内のＶＣＸＯ７の出力が供給される。
【００３３】
間引き回路３は、ＶＣＸＯ７の出力を動作クロックとして、周波数検出回路２からの入力周波数検出信号が４８ｋＨｚを示している場合には、供給されたワードクロックをそのまま出力し、この入力周波数検出信号が９６ｋＨｚや１９２ｋＨｚを示している場合には、供給されたワードクロックのサンプリング周波数を４８ｋＨｚに間引いて出力する回路である。
【００３４】
間引き回路３から出力されたサンプリング周波数４８ｋＨｚのワードクロックは、ＰＬＬ４内の位相比較器５に基準信号として送られて、前述の比較信号（分周器８の出力）と比較される。
【００３５】
そして、ＰＬＬ４内の分周器８の出力が、ワードクロック入力端子９に入力されたワードクロックに同期したクロック信号として、自動同期周波数検出装置１から出力される。
【００３６】
また、周波数検出回路２から間引き回路３に送られた前述の入力周波数検出信号も、間引き回路３から自動同期周波数検出装置１の外部に出力される。
【００３７】
このワードクロック自動同期周波数検出装置１では、４８ｋＨｚ，９６ｋＨｚ，１９２ｋＨｚという３種類のサンプリング周波数のワードクロックのうちのいずれが入力される場合にも、ＰＬＬ４の位相比較器５での位相比較が単一の周波数（４８ｋＨｚ，９６ｋＨｚ，１９２ｋＨｚのうちの最小周波数４８ｋＨｚ）で行われて、入力したワードクロックに同期したクロック信号が生成（分周器８から出力）される。
【００３８】
これにより、複数個のＰＬＬを設けたり、ＰＬＬ内のＬＰＦのＣＲ時定数や分周器の分周比を切り替えたりすることなく、４８ｋＨｚ，９６ｋＨｚ，１９２ｋＨｚという３種類のサンプリング周波数のワードクロックにそれぞれ同期したクロック信号を生成することができる。
【００３９】
次に、このワードクロック自動同期周波数検出装置１をオーディオスイッチャに搭載した例について説明する。図３は、ワードクロック自動同期周波数検出装置１を搭載したオーディオスイッチャの構成例を示す図である。
【００４０】
このオーディオスイッチャには、ｎ個（ｎは例えば１２８の倍数）の入力処理回路１１（１１−１〜１１−ｎ）と、マトリクススイッチ回路１２と、ｎ個の出力処理回路１３（１３−１〜１３−ｎ）とが設けられている。
【００４１】
また、このオーディオスイッチャは、ＢＮＣコネクタを用いた３つのワードクロック入力端子１４（１４−１〜１４−３）を有するとともに、ワードクロック入力端子１４−１〜１４−３と１対１に対応させて、図１に示したワードクロック自動同期周波数検出装置１と同一構成の３個のワードクロック自動同期周波数検出装置１−１〜１−３が設けられている。
【００４２】
テレビジョン放送局のスタジオで番組の収録や放送を行う際には、各入力処理回路１１は、それぞれスタジオ内の複数台のマイクロホンやＶＴＲ等（図示略）と接続され、各出力処理回路１３は、それぞれ編集端末や番組送出装置等（図示略）に接続される。
【００４３】
これらのマイクロホンやＶＴＲ等からは、４８ｋＨｚ，９６ｋＨｚ，１９２ｋＨｚという様々なサンプリング周波数のデジタルオーディオ信号が、ＡＥＳ／ＥＢＵフォーマットで各入力処理回路１１に入力される。
【００４４】
各入力処理回路１１は、こうした様々なサンプリング周波数のＡＥＳ／ＥＢＵフォーマットのデジタルオーディオ信号を、単一のサンプリング周波数４８ｋＨｚのＴＤＭ（時分割多重）フォーマットに変換する回路である。
【００４５】
入力処理回路１１−１〜１１−ｎから出力されたＴＤＭフォーマットのデジタルオーディオ信号は、それぞれマトリクススイッチ回路１２の入力信号線ＩＮ−１〜ＩＮ−ｎに送られる。マトリクススイッチ回路１２は、ｎ本の入力信号線ＩＮ−１〜ＩＮ−ｎとｎ本の出力信号線ＯＵＴ−１〜ＯＵＴ−ｎとを交差させ、各交差箇所に、半導体素子から成る接続スイッチＳＷを設けたものである。
【００４６】
マトリクススイッチ回路１２の出力信号線ＯＵＴ−１〜ＯＵＴ−ｎから出力されたＴＤＭフォーマットのデジタルオーディオ信号は、それぞれ出力処理回路１３−１〜１３−ｎに送られる。各出力処理回路１３は、このＴＤＭフォーマットのデジタルオーディオ信号を、入力処理回路１１に入力された際と同じサンプリング周波数（４８ｋＨｚ，９６ｋＨｚ，１９２ｋＨｚのいずれか）のＡＥＳ／ＥＢＵフォーマットのデジタルオーディオ信号に変換する回路である。
【００４７】
各出力処理回路１３から出力されたＡＥＳ／ＥＢＵフォーマットのデジタルオーディオ信号は、編集端末や番組送出装置等に送られる。
【００４８】
各ワードクロック入力端子１４には、各入力処理回路１１に入力されるデジタルオーディオ信号のサンプリング周波数の種類に対応して、４８ｋＨｚ，９６ｋＨｚ，１９２ｋＨｚという様々なサンプリング周波数のワードクロックが入力される。すなわち、入力処理回路１１にサンプリング周波数４８ｋＨｚ，９６ｋＨｚ，１９２ｋＨｚの３種類のデジタルオーディオ信号が全て入力される場合には、いずれか１個のワードクロック入力端子１４にサンプリング周波数４８ｋＨｚのワードクロックが入力され、別の１個のワードクロック入力端子１４にサンプリング周波数９６ｋＨｚのワードクロックが入力され、残りの１個のワードクロック入力端子１４にサンプリング周波数１９２ｋＨｚのワードクロックが入力される。
【００４９】
ワードクロック入力端子１４−１〜１４−３に入力されたワードクロックは、それぞれ対応するワードクロック自動同期周波数検出装置１−１〜１−３に送られて、ワードクロック自動同期周波数検出装置１−１〜１−３内の周波数検出回路２（図１）に供給される。
【００５０】
ワードクロック自動同期周波数検出装置１−１〜１−３から出力されるクロック信号（図１の分周器８の出力）は、それぞれ、入力処理回路１１，マトリクススイッチ回路１２及び出力処理回路１３のうち、当該ワードクロック自動同期周波数検出装置に供給されたワードクロックと同じサンプリング周波数で入力されたデジタルオーディオ信号を処理する部分に供給される（例えば、９６ｋＨｚのワードクロックが供給されたワードクロック自動同期周波数検出装置からの出力クロック信号は、ＡＥＳ／ＥＢＵフォーマットでの入力時のサンプリング周波数が９６ｋＨｚであったデジタルオーディオ信号を処理する部分に供給される）。
【００５１】
また、ワードクロック自動同期周波数検出装置１−１〜１−３から出力される前述の入力周波数検出信号は、それぞれ、出力処理回路１３のうち、当該ワードクロック自動同期周波数検出装置に供給されたワードクロックと同じサンプリング周波数で入力されたデジタルオーディオ信号を処理する部分に供給される。
【００５２】
このオーディオスイッチャは、４８ｋＨｚ，９６ｋＨｚ，１９２ｋＨｚという３種類のサンプリング周波数のデジタルオーディオ信号に対応して、４８ｋＨｚ，９６ｋＨｚ，１９２ｋＨｚという３種類のサンプリング周波数のワードクロックを入力し、それらのサンプリング周波数のワードクロックにそれぞれ同期したクロック信号を生成して、そのクロック信号に基づいてオーディオスイッチャ内の回路を動作させる機能を有する。
【００５３】
これにより、４８ｋＨｚ，９６ｋＨｚ，１９２ｋＨｚという３種類のサンプリング周波数のデジタルオーディオ信号を同時に入力させ、それらのデジタルオーディオ信号をそれぞれどの機器に送るかを切り替えることができる。
【００５４】
そして、各ワードクロック自動同期周波数検出装置１−１〜１−３を同一構成とし、且つ、各ワードクロック自動同期周波数検出装置１−１〜１−３に複数個のＰＬＬを設けたり、各ワードクロック自動同期周波数検出装置１−１〜１−３のＰＬＬ内のＬＰＦのＣＲ時定数や分周器の分周比を切り替えたりすることなく、４８ｋＨｚ，９６ｋＨｚ，１９２ｋＨｚという３種類のサンプリング周波数のワードクロックにそれぞれ同期したクロック信号を生成することができる。
【００５５】
なお、以外の例では、４８ｋＨｚ，９６ｋＨｚ，１９２ｋＨｚという３種類のサンプリング周波数のワードクロックが入力される場合について説明した。しかし、これ以外の適宜の複数種類のサンプリング周波数のワードクロックが入力される場合にも、以上に説明したのと同様にして本発明に係るワードクロック自動同期周波数検出装置を構成できることはもちろんである。
【００５６】
また、図３の例ではオーディオスイッチャを示したが、本発明に係るワードクロック自動同期周波数検出装置は、複数種類のサンプリング周波数のデジタルオーディオ信号が入力され得るあらゆるオーディオ機器に搭載することができる。
【図面の簡単な説明】
【００５７】
【図１】本発明に係るワードクロック自動同期周波数検出装置の構成例を示す図である。
【図２】図１の周波数検出回路で生成される立ち上がりパルスを示す図である。
【図３】図１のワードクロック自動同期周波数検出装置を搭載したオーディオスイッチャの構成例を示す図である。
【符号の説明】
【００５８】
１  ワードクロック自動同期周波数検出装置、１−１〜１−３  ワードクロック自動同期周波数検出装置、  ２  周波数検出回路、  ３  間引き回路、  ４  ＰＬＬ、  ５  位相比較器、  ６  ＬＰＦ、  ７  ＶＣＸＯ、  ８  分周器、  ９  ワードクロック入力端子、  １１−１〜１１−ｎ  入力処理回路、  １２  マトリクススイッチ回路、  １３−１〜１３−ｎ  出力処理回路、  １４−１〜１４−３、  ワードクロック入力端子
【図１】
2007116362.tif 000003
【図２】
2007116362.tif 000004
【図３】
2007116362.tif 000005